【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
各々関連付けられたタイマおよび関連付けられたデータトラフィックチャネルを有する２つ以上のネットワークアドレスをネットワークから受信することと、
各々異なるデバイスに関連付けられている前記２つ以上のネットワークアドレスのグループに関連付けられた前記タイマをリフレッシュするために、統合キープアライブメッセージを送信することと
を備える方法。
【請求項２】
前記２つ以上のネットワークアドレスは、パケットデータネットワーク（ＰＤＮ）接続を提供され、前記ＰＤＮ接続はタイマに関連付けられる、請求項１に記載の方法。
【請求項３】
前記ネットワークアドレスのうちのいくつかは、単一のＰＤＮ接続に含まれる、請求項２に記載の方法。
【請求項４】
前記ネットワークアドレスは、各々が少なくとも１つのネットワークアドレスを含む２つ以上のＰＤＮ接続に含まれる、請求項２に記載の方法。
【請求項５】
アイドルデータトラフィックチャネルおよび前記関連付られたネットワークアドレスを識別することと、
各アイドルデータトラフィックチャネルごとの前記関連付けられたネットワークアドレスを維持するかどうかを決定することと、
識別されたネットワークアドレスのためのキープアライブメッセージを統合することと
をさらに備える請求項１に記載の方法。
【請求項６】
前記送信された統合キープアライブメッセージに応答してアクノレッジメントを受信することと、
前記アクノレッジメントに関連付けられた前記タイマをリフレッシュすることと
をさらに備える請求項１に記載の方法。
【請求項７】
各々関連付けられたタイマおよび関連付けられたデータトラフィックチャネルを有する２つ以上のネットワークアドレスをネットワークから受信するように構成された受信機と、
各々が異なるデバイスに関連付けられている前記２つ以上のネットワークアドレスのグループに関連付けられた前記タイマをリフレッシュするために、統合キープアライブメッセージを送信するように構成された送信機と
を備える装置。
【請求項８】
前記２つ以上のネットワークアドレスが、パケットデータネットワーク（ＰＤＮ）接続を提供され、前記ＰＤＮ接続はタイマに関連付けられる請求項７に記載の装置。
【請求項９】
前記ネットワークアドレスのうちのいくつかは、単一のＰＤＮ接続に含まれる、請求項８に記載の装置。
【請求項１０】
前記ネットワークアドレスは、各々が少なくとも１つのネットワークアドレスを含む２つ以上のＰＤＮ接続に含まれる、請求項８に記載の装置。
【請求項１１】
アイドルデータトラフィックチャネルおよび前記関連付られたネットワークアドレスを識別し、
各アイドルデータトラフィックチャネルのための前記関連付けられたネットワークアドレスを維持するかどうかを決定し、
識別されたネットワークアドレスのためのキープアライブメッセージを統合する
ように構成された処理システムをさらに備える請求項７に記載の装置。
【請求項１２】
前記受信機はさらに、前記送信された統合キープアライブメッセージに応答してアクノレッジメントを受信するように構成され、前記処理システムはさらに、前記アクノレッジメントに関連付けられた前記タイマをリフレッシュするように構成される、請求項１１に記載の装置。
【請求項１３】
各々関連付けられたタイマおよび関連付けられたデータトラフィックチャネルを有する２つ以上のネットワークアドレスをネットワークから受信する手段と、
各々異なるデバイスに関連付けられている前記２つ以上のネットワークアドレスのグループに関連付けられた前記タイマをリフレッシュするために、統合キープアライブメッセージを送信する手段と
を備える装置。
【請求項１４】
前記２つ以上のネットワークアドレスは、パケットデータネットワーク（ＰＤＮ）接続を提供され、前記ＰＤＮ接続はタイマに関連付けられる請求項１３に記載の装置。
【請求項１５】
前記ネットワークアドレスのうちのいくつかは、単一のＰＤＮ接続に含まれる、請求項１４に記載の装置。
【請求項１６】
前記ネットワークアドレスは、各々が少なくとも１つのネットワークアドレスを含む２つ以上のＰＤＮ接続に含まれる、請求項１４に記載の装置。
【請求項１７】
アイドルデータトラフィックチャネルおよび前記関連付けられたネットワークアドレスを識別し、
各アイドルデータトラフィックチャネルごとの前記関連付けられたネットワークアドレスを維持するかどうかを決定し、
識別されたネットワークアドレスのためのキープアライブメッセージを統合する
ように構成された処理する手段をさらに備える請求項１３に記載の装置。
【請求項１８】
前記受信手段はさらに、前記送信された統合キープアライブメッセージに応答してアクノレッジメントを受信するように構成され、前記処理手段はさらに、前記アクノレッジメントに関連付けられた前記タイマをリフレッシュするように構成される、請求項１７に記載の装置。
【請求項１９】
命令群を備えるコンピュータ読取可能な媒体を備える無線で通信するためのコンピュータブログラム製品であって、前記命令群は、実行されると装置に、
各々関連付けられたタイマおよび関連付けられたデータトラフィックチャネルを有する２つ以上のネットワークアドレスをネットワークから受信させ、
各々異なるデバイスに関連付けられている前記２つ以上のネットワークアドレスのグループに関連付けられた前記タイマをリフレッシュするために、統合キープアライブメッセージを送信させる
命令群である、コンピュータプログラム製品。
【請求項２０】
実行されると装置に、
アイドルデータトラフィックチャネルおよび前記関連付けられたネットワークアドレスを識別させ、
各アイドルデータトラフィックチャネルごとの前記関連付けられたネットワークアドレスを維持するかどうかを決定させ、
識別されたネットワークアドレスのためのキープアライブメッセージを統合させる
命令群をさらに備える請求項１９に記載のコンピュータプログム製品。
【請求項２１】
実行されると装置に、
前記送信された統合キープアライブメッセージに応答してアクノレッジメントを受信させ、
前記アクノレッジメントに関連付けられた前記タイマをリフレッシュさせる
命令群をさらに備える請求項２０に記載のコンピュータプログラム製品。
【手続補正２】
【補正対象書類名】明細書
【補正対象項目名】００４８
【補正方法】変更
【補正の内容】
【００４８】
本明細書において説明される実施によると、ＵＥ５１０は、異なるＩＰサービスのために使用されうる複数のＩＰアドレスを割り当てられうる。例えば、ＵＥ５１０は、ＩＰサービスの音声のための第１のＩＰアドレスと、高レートデータ接続のための第２のＩＰアドレスとを割り当てられうる。当業者は、ＵＥ５１０が任意の数のＩＰアドレスを割り当てられうるということを、本明細書における開示から理解するはずである。
【手続補正３】
【補正対象書類名】明細書
【補正対象項目名】００５８
【補正方法】変更
【補正の内容】
【００５８】
図７は、ＵＥに割り当てられた第１および第２のＩＰアドレスのためのキープアライブシグナリング実施の簡略化されたタイミング図である。説明を簡単にするために、図７は、アドレスが同じＵＥに割り当てられている実施として説明される。しかしながら、いくつかの実施において、アドレスは複数の異なるＵＥに割り当てられうる。時間ｔ０において、ＵＥは第１のＩＰアドレスのための構成メッセージ７０１を送信する。時間ｔ１において、ＵＥは第２のＩＰアドレスのための構成メッセージ７０２を送信する。第１および第２のＩＰアドレスは、第１および第２の個別のタイマ（図示せず）を有する。第１のタイマは、ＴＯ１の初期リフレッシュ値を有し、第２のタイマはＴＯ１よりも大きいＴＯ２の初期リフレッシュ値を有する。このように、アクティブ管理を用いることなく、ＩＰアドレスが両方ともアクティブ状態である場合にこれらを維持するために、ＵＥは、第１のタイマの期限が切れる各時間ｔ２、ｔ４、ｔ６、ｔ８においてキープアライブメッセージ７０３、７０５、７０７、７０９（等）を送信しなければならず、さらに、第２のタイマの期限が切れる各時間ｔ３、ｔ５、ｔ７においてキープアライブメッセージ７０４、７０６、７０８（等）を送信しなければならない。上述されたように、各キープアライブ伝送は、チャネルアクセスに対する需要を増大させ、バッテリー電力を消費する。
【手続補正４】
【補正対象書類名】明細書
【補正対象項目名】００６２
【補正方法】変更
【補正の内容】
【００６２】
キープアライブメッセージを送信する理由がないとＵＥが判定した場合（９−１０からの「いいえ」経路）、ブロック９−１１に示されるように、ＵＥは、タイマの期限が切れること、またはタイマがしきい値を越えることを許容して、第１および第２のＩＰアドレスのうちの一方または両方とものリリースを示す。その一方で、ＵＥがキープアライブメッセージを送信する理由がないとＵＥが判定した場合（９−１０からの「はい」経路）、ブロック９−１２に示されるように、方法は、キープアライブメッセージを送信することを含む。ブロック９−１３に示されるように、方法は、ＰＤＮゲートウェイからアクノレッジメントを受信することを含む。ブロック９−１４に示されるように、方法は、第１および第２のローカルタイマの両方ともをリセットすることを含む。
【手続補正５】
【補正対象書類名】明細書
【補正対象項目名】００８２
【補正方法】変更
【補正の内容】
【００８２】
上記は、本開示の態様に関するものであるが、本開示の他の態様およびさらなる態様が、その基本的な範囲から逸脱することなく考案されることができ、その範囲は、下記の請求項によって決定される。
以下に本件出願当初の特許請求の範囲に記載された発明を付記する。
[Ｃ１]
各々関連付けられたタイマおよび関連付けられたデータトラフィックチャネルを有する２つ以上のネットワークアドレスをネットワークから受信することと、
各々異なるデバイスに関連付けられている前記２つ以上のネットワークアドレスのグループに関連付けられた前記タイマをリフレッシュするために、統合キープアライブメッセージを送信することと
を備える方法。
[Ｃ２]
前記１または複数のネットワークアドレスは、パケットデータネットワーク（ＰＤＮ）接続を提供され、前記ＰＤＮ接続はタイマに関連付けられる、Ｃ１に記載の方法。
[Ｃ３]
前記ネットワークアドレスのうちのいくつかは、単一のＰＤＮ接続に含まれる、Ｃ２に記載の方法。
[Ｃ４]
前記ネットワークアドレスは、各々が少なくとも１つのネットワークアドレスを含む２つ以上のＰＤＮ接続に含まれる、Ｃ２に記載の方法。
[Ｃ５]
アイドルデータトラフィックチャネルおよび前記関連付られたネットワークアドレスを識別することと、
各アイドルデータトラフィックチャネルごとの前記関連付けられたネットワークアドレスを維持するかどうかを決定することと、
識別されたネットワークアドレスのためのキープアライブメッセージを統合することと
をさらに備えるＣ１に記載の方法。
[Ｃ６]
前記送信された統合キープアライブメッセージに応答してアクノレッジメントを受信することと、
前記アクノレッジメントに関連付けられた前記タイマをリフレッシュすることと
をさらに備えるＣ１に記載の方法。
[Ｃ７]
各々関連付けられたタイマおよび関連付けられたデータトラフィックチャネルを有する２つ以上のネットワークアドレスをネットワークから受信するように構成された受信機と、
各々が異なるデバイスに関連付けられている前記２つ以上のネットワークアドレスのグループに関連付けられた前記タイマをリフレッシュするために、統合キープアライブメッセージを送信するように構成された送信機と
を備える装置。
[Ｃ８]
１または複数のネットワークアドレスが、パケットデータネットワーク（ＰＤＮ）接続を提供され、前記ＰＤＮ接続はタイマに関連付けられるＣ７に記載の装置。
[Ｃ９]
前記ネットワークアドレスのうちのいくつかは、単一のＰＤＮ接続に含まれる、Ｃ８に記載の装置。
[Ｃ１０]
前記ネットワークアドレスは、各々が少なくとも１つのネットワークアドレスを含む２つ以上のＰＤＮ接続に含まれる、Ｃ８に記載の装置。
[Ｃ１１]
アイドルデータトラフィックチャネルおよび前記関連付られたネットワークアドレスを識別し、
各アイドルデータトラフィックチャネルのための前記関連付けられたネットワークアドレスを維持するかどうかを決定し、
識別されたネットワークアドレスのためのキープアライブメッセージを統合する
ように構成された処理システムをさらに備えるＣ７に記載の装置。
[Ｃ１２]
前記受信機はさらに、前記送信された統合キープアライブメッセージに応答してアクノレッジメントを受信するように構成され、前記処理システムはさらに、前記アクノレッジメントに関連付けられた前記タイマをリフレッシュするように構成される、Ｃ１１に記載の装置。
[Ｃ１３]
各々関連付けられたタイマおよび関連付けられたデータトラフィックチャネルを有する２つ以上のネットワークアドレスをネットワークから受信する手段と、
各々異なるデバイスに関連付けられている前記２つ以上のネットワークアドレスのグループに関連付けられた前記タイマをリフレッシュするために、統合キープアライブメッセージを送信する手段と
を備える装置。
[Ｃ１４]
前記１または複数のネットワークアドレスは、パケットデータネットワーク（ＰＤＮ）接続を提供され、前記ＰＤＮ接続はタイマに関連付けられるＣ１３に記載の装置。
[Ｃ１５]
前記ネットワークアドレスのうちのいくつかは、単一のＰＤＮ接続に含まれる、Ｃ１４に記載の装置。
[Ｃ１６]
前記ネットワークアドレスは、各々が少なくとも１つのネットワークアドレスを含む２つ以上のＰＤＮ接続に含まれる、Ｃ１４に記載の装置。
[Ｃ１７]
アイドルデータトラフィックチャネルおよび前記関連付けられたネットワークアドレスを識別し、
各アイドルデータトラフィックチャネルごとの前記関連付けられたネットワークアドレスを維持するかどうかを決定し、
識別されたネットワークアドレスのためのキープアライブメッセージを統合する
ように構成された処理する手段をさらに備えるＣ１３に記載の装置。
[Ｃ１８]
前記受信手段はさらに、前記送信された統合キープアライブメッセージに応答してアクノレッジメントを受信するように構成され、前記処理手段はさらに、前記アクノレッジメントに関連付けられた前記タイマをリフレッシュするように構成される、Ｃ１７に記載の装置。
[Ｃ１９]
命令群を備えるコンピュータ読取可能な媒体を備える無線で通信するためのコンピュータブログラム製品であって、前記命令群は、実行されると装置に、
各々関連付けられたタイマおよび関連付けられたデータトラフィックチャネルを有する２つ以上のネットワークアドレスをネットワークから受信させ、
各々異なるデバイスに関連付けられている前記２つ以上のネットワークアドレスのグループに関連付けられた前記タイマをリフレッシュするために、統合キープアライブメッセージを送信させる
命令群である、コンピュータプログラム製品。
[Ｃ２０]
実行されると装置に、
アイドルデータトラフィックチャネルおよび前記関連付けられたネットワークアドレスを識別させ、
各アイドルデータトラフィックチャネルごとの前記関連付けられたネットワークアドレスを維持するかどうかを決定させ、
識別されたネットワークアドレスのためのキープアライブメッセージを統合させる
命令群をさらに備えるＣ１９に記載のコンピュータプログム製品。
[Ｃ２１]
実行されると装置に、
前記送信された統合キープアライブメッセージに応答してアクノレッジメントを受信させ、
前記アクノレッジメントに関連付けられた前記タイマをリフレッシュさせる
命令群をさらに備えるＣ２０に記載のコンピュータプログラム製品。